(57)【要約】      （修正有）【課題】倒立顕微鏡の大きさをコンパクトに保ちながら、ユーザのニーズに対応して取り付け位置を選択可能な落射照明装置および倒立顕微鏡を提供する。【解決手段】落射照明装置３は、倒立顕微鏡１００の対物レンズ６と結像レンズ１０ａとの間に位置するミラーユニット切替装置８の後方に設けられた照明ポート９に取り付け可能であって、照明ポート９と嵌合させる取り付け部１１と、取り付け部１１の端部から取り付け部１１が延在する方向とＬ次状をなす方向に延在し、内部に照明光学系１５ａ、１５ｂを有する外装部１２と、外装部１２の他端に形成される光源接続部１４と、を備える。【選択図】図２
2013205822.tif 000002
【特許請求の範囲】
【請求項１】
倒立顕微鏡が保持する対物レンズと該倒立顕微鏡に設けられる結像レンズとの間に位置する光学装置に、該光学装置の後方に設けられた照明ポートに取り付けることにより照明光学系を介して照明光を照射する落射照明装置であって、
前記照明ポートと嵌合可能な取り付け部と、
前記取り付け部の端部から前記取り付け部が延在する方向とＬ字形状をなす方向に延在し、内部に照明光学系を有する外装部と、
前記外装部の端部のうち、前記取り付け部側と反対の端部に形成される光源接続部と、
を備えることを特徴とする落射照明装置。
【請求項２】
前記倒立顕微鏡が保持する対物レンズと該倒立顕微鏡に設けられる結像レンズとの間に位置する複数の光学装置に、該光学装置の後方にそれぞれ設けられた照明ポートに取り付けることにより照明光学系を介して照明光を照射する落射照明装置であって、
前記取り付け部の高さが、隣接する２つの光学装置の光軸間距離よりも小さいことを特徴とする請求項１に記載の落射照明装置。
【請求項３】
前記外装部は、前記外装部の光軸を含む水平面に対して上下対称な２ケ所の位置に支持部材取り付け部を有し、顕微鏡本体への前記落射照明装置の取り付け方向により、いずれか一方の支持部材取り付け部に支持部材を取り付けることを特徴とする請求項１または２に記載の落射照明装置。
【請求項４】
前記支持部材は、前記顕微鏡本体への前記落射照明装置の取り付け位置により長さ調節が可能であることを特徴とする請求項１〜３のいずれか一つに記載の落射照明装置。
【請求項５】
前記取り付け部は、垂直方向の光軸を含む鉛直面に対して左右対称な２ケ所の位置に視野絞りを取り付け可能な視野絞り取り付け部を有し、前記倒立顕微鏡への前記落射照明装置の取り付け方向により、いずれか一方の視野絞り取り付け部に前期視野絞りを取り付けることを特徴とする請求項１〜４のいずれか一つに記載の落射照明装置。
【請求項６】
対物レンズと結像レンズとの間に、光学装置と、光源から照射された光を前記光学装置に入射させる落射照明装置とを有する倒立顕微鏡において、
前記落射照明装置は、
前記光学装置の後方に設けられた照明ポートと嵌合可能な取り付け部と、
前記取り付け部の端部から前記取り付け部が延在する方向とＬ字形状をなす方向に延在し、内部に照明光学系を有する外装部と、
前記外装部の端部のうち、前記取り付け部側と反対の端部に形成される光源接続部と、
を備え、該落射照明装置を、顕微鏡本体の後方右側または後方左側に取り付けたことを特徴とする倒立顕微鏡。
【請求項７】
対物レンズと結像レンズとの間に、複数の光学装置と、前記光学装置に入射させる照明光を個々に発生する複数の落射照明装置とを有する倒立顕微鏡において、
請求項２〜５のいずれか一つに記載の落射照明装置を、前記光学装置の後方にそれぞれ設けられた照明ポートを介して、前記顕微鏡本体の後方右側および後方左側にそれぞれ位置するよう取り付けたことを特徴とする倒立顕微鏡。
【請求項８】
前記隣接する２つの光学装置の光軸間距離に対応する長さの光路調整アダプタを備え、
顕微鏡本体の上部の光学装置の後方に設けられた照明ポートには、前記光路調整アダプタを介して前記落射照明装置を取り付けるとともに、前記顕微鏡本体の下部の光学装置の後方に設けられた照明ポートには、前記落射照明装置を直接取り付けることを特徴とする請求項７に記載の倒立顕微鏡。
【請求項９】
前記隣接する２つの光学装置の後方に設けられた照明ポートにおいて、顕微鏡本体の上部の照明ポートは、前記顕微鏡本体の下部の照明ポートより前記隣接する２つの光学装置の光軸間距離の長さ分後方に形成されることを特徴とする請求項７に記載の倒立顕微鏡。
【請求項１０】
前記落射照明装置の照明光学系は、前記顕微鏡本体の照明ポート側に視野絞り投影レンズを有し、
前記視野絞り投影レンズの配置位置より外装部側の前記取り付け部の高さは、前記視野絞り投影レンズの外径より小さいことを特徴とする請求項９に記載の倒立顕微鏡。 
【発明の詳細な説明】
【技術分野】
【０００１】
本発明は、観察対象となる標本を下から観察する倒立顕微鏡に取り付け可能な落射照明装置および該落射照明装置を備える倒立顕微鏡に関する。
【背景技術】
【０００２】
対物レンズと結像レンズとの間に新たな光学系を構成する光学装置を装着可能な倒立顕微鏡が提案されている。この倒立顕微鏡は、対物レンズと結像レンズとの間に光学装置を装着可能にするために、ステージと該ステージを支持するステージ支持部材との間にスペーサ部材を配設可能にしてある。そして、新たに装着する光学装置の厚みに対応するスペーサ部材を選択して配置することにより、ステージを嵩上げするとともに、嵩上げによって設けられた空間を利用して、対物レンズと結合レンズとの間に新たな光学装置を装着する（たとえば、特許文献１参照）。
【０００３】
また、倒立顕微鏡のステージの支持脚部を貫通して落射照明装置の装置本体を配置し、着脱可能な絞りユニットを、前記装置本体の前記支持脚部から外れた位置に配置することにより、投光管を顕微鏡から取り外すことなく絞りユニットを交換可能な落射照明装置が提案されている（たとえば、特許文献２参照）。
【先行技術文献】
【特許文献】
【０００４】
【特許文献１】特開平１１−７２７１５号公報
【特許文献２】特開２００３−７５７２６号公報
【発明の概要】
【発明が解決しようとする課題】
【０００５】
ところで、上述した特許文献１に記載された倒立顕微鏡では、光ファイバと落射蛍光装置など、異なる光学ユニットを複数取り付けて観察を行うことができる。しかしながら、同一種類の光学ユニットを同時に取り付けることを意図するものではなく、同一種類の光学ユニットを同時に取り付けた場合、光源部分が嵩高いため顕微鏡本体部が大きくなるという問題を有している。
【０００６】
また、上述した特許文献２に記載された落射照明装置は、絞りユニットを容易に着脱することができるが、絞りユニットの着脱方向を変更することはできない。さらに、落射照明装置を複数同時に取り付ける場合、光源部分が嵩高いため顕微鏡本体部が大きくなるという問題を有している。
【０００７】
本発明は、上記に鑑みてなされたものであって、倒立顕微鏡本体の大きさをコンパクトに保ちながら、取り付け位置を選択可能な落射照明装置および該落射照明装置を備える倒立顕微鏡を提供することを目的とする。
【課題を解決するための手段】
【０００８】
上述した課題を解決し、目的を達成するために、本発明は、倒立顕微鏡が保持する対物レンズと該倒立顕微鏡に設けられる結像レンズとの間に位置する光学装置に、該光学装置の後方に設けられた照明ポートに取り付けることにより照明光学系を介して照明光を照射する落射照明装置であって、前記照明ポートと嵌合可能な取り付け部と、前記取り付け部の端部から前記取り付け部が延在する方向とＬ字形状をなす方向に延在し、内部に照明光学系を有する外装部と、前記外装部の端部のうち、前記取り付け部側と反対の端部に形成される光源接続部と、を備えることを特徴とする。
【０００９】
また、本発明の落射照明装置は、上記発明において、前記倒立顕微鏡が保持する対物レンズと該倒立顕微鏡に設けられる結像レンズとの間に位置する複数の光学装置に、該光学装置の後方にそれぞれ設けられた照明ポートに取り付けることにより照明光学系を介して照明光を照射する落射照明装置であって、前記取り付け部の高さが、隣接する２つの光学装置の光軸間距離よりも小さいことを特徴とする。
【００１０】
また、本発明の落射照明装置は、上記発明において、前記外装部は、前記外装部の光軸を含む水平面に対して上下対称な２ケ所の位置に支持部材取り付け部を有し、顕微鏡本体への前記落射照明装置の取り付け方向により、いずれか一方の支持部材取り付け部に支持部材を取り付けることを特徴とする。
【００１１】
また、本発明の落射照明装置は、上記発明において、前記支持部材は、前記顕微鏡本体への前記落射照明装置の取り付け位置により長さ調節が可能であることを特徴とする。
【００１２】
また、本発明の落射照明装置は、上記発明において、前記取り付け部は、垂直方向の光軸を含む鉛直面に対して左右対称な２ケ所の位置に視野絞りを取り付け可能な視野絞り取り付け部を有し、前記倒立顕微鏡への前記落射照明装置の取り付け方向により、いずれか一方の視野絞り取り付け部に前期視野絞りを取り付けることを特徴とする。
【００１３】
又、本発明の倒立顕微鏡は、対物レンズと結像レンズとの間に、光学装置と、光源から照射された光を前記光学装置に入射させる落射照明装置とを有する倒立顕微鏡において、前記落射照明装置は、前記光学装置の後方に設けられた照明ポートと嵌合可能な取り付け部と、前記取り付け部の端部から前記取り付け部が延在する方向とＬ字形状をなす方向に延在し、内部に照明光学系を有する外装部と、前記外装部の端部のうち、前記取り付け部側と反対の端部に形成される光源接続部と、を備え、該落射照明装置を、顕微鏡本体の後方右側または後方左側に取り付けたことを特徴とする。
【００１４】
また、本発明の倒立顕微鏡は、上記発明において、対物レンズと結像レンズとの間に、複数の光学装置と、前記光学装置に入射させる照明光を個々に発生する複数の落射照明装置とを有する倒立顕微鏡において、上記のいずれか一つに記載の落射照明装置を、前記光学装置の後方にそれぞれ設けられた照明ポートを介して、前記顕微鏡本体の後方右側および後方左側にそれぞれ位置するよう取り付けたことを特徴とする。
【００１５】
また、本発明の倒立顕微鏡は、上記発明において、前記隣接する２つの光学装置の光軸間距離に対応する長さの光路調整アダプタを備え、顕微鏡本体の上部の光学装置の後方に設けられた照明ポートには、前記光路調整アダプタを介して前記落射照明装置を取り付けるとともに、前記顕微鏡本体の下部の光学装置の後方に設けられた照明ポートには、前記落射照明装置を直接取り付けることを特徴とする。
【００１６】
また、本発明の倒立顕微鏡は、上記発明において、前記隣接する２つの光学装置の後方に設けられた照明ポートにおいて、顕微鏡本体の上部の照明ポートは、前記顕微鏡本体の下部の照明ポートより前記隣接する２つの光学装置の光軸間距離の長さ分後方に形成されることを特徴とする。
【００１７】
また、本発明の倒立顕微鏡は、上記発明において、前記落射照明装置の照明光学系は、前記顕微鏡本体の照明ポート側に視野絞り投影レンズを有し、前記視野絞り投影レンズの配置位置より外装部側の前記取り付け部の高さは、前記視野絞り投影レンズの外径より小さいことを特徴とする。
【発明の効果】
【００１８】
本発明にかかる落射照明装置および倒立顕微鏡は、外装部を取り付け部からＬ次状に延在するような形状とし、前記外装部の光軸を含む水平面に対して上下対称な２ケ所の位置に支持部材取り付け部を設けることにより、落射照明装置を倒立顕微鏡の後方右側または後方左側のどちらにも取り付け可能であり、ユーザのニーズに合わせて落射照明装置の取り付け位置を選択することが可能となる。さらに、同一形状の２つの落射照明装置を倒立顕微鏡にそれぞれ取り付けて観察を同時に行う場合でも、顕微鏡本体の大きさが大きくなることを抑制することができる。
【図面の簡単な説明】
【００１９】
【図１】図１は、本発明の実施の形態１にかかる倒立顕微鏡の正面図である。
【図２】図２は、図１に示した倒立顕微鏡の全体構成を示す右側部分の要部図である。
【図３】図３は、図１に示した倒立顕微鏡の上面図である。
【図４】図４は、図１に示した倒立顕微鏡の背面図である。
【図５−１】図５−１は、実施の形態１の変形例にかかる落射照明装置において、視野絞りの取り付け部への取り付けを説明する図（上面図）である。
【図５−２】図５−２は、実施の形態１の変形例にかかる落射照明装置において、視野絞りの取り付け部への取り付けを説明する図（正面図）である。
【図６】図６は、本発明の実施の形態２にかかる倒立顕微鏡の全体構成を示す右側部分の要部図である。
【図７】図７は、実施の形態２の変形例にかかる倒立顕微鏡の構成の一部を示す右側面図である。
【図８】図８は、図７に示した倒立顕微鏡の背面図である。
【発明を実施するための形態】
【００２０】
以下に、本発明にかかる倒立顕微鏡の実施の形態を図面に基づいて詳細に説明する。なお、この実施の形態によりこの発明が限定されるものではない。
【００２１】
（実施の形態１）
図１は、本発明の実施の形態１である倒立顕微鏡の正面図である。図２は、図１に示した倒立顕微鏡の全体構成を示す右側部分の要部図、図３は、図１に示した倒立顕微鏡の上面図、図４は、図１に示した倒立顕微鏡の背面図である。なお、図２〜図４において、落射照明装置３の形状を明確にするために、光源を省略して示してある。また、図３および４において、簡略化のために、ステージ上部の照明系を省略して示している。
【００２２】
図１〜図４に示すように、倒立顕微鏡１００は、観察対象となる標本を下から観察する顕微鏡であって、顕微鏡本体１と、顕微鏡本体１に支持されたステージ２と、ステージ２の上に載置された試料に光を照射する２つの落射照明装置３とを備えている。また、倒立顕微鏡１００は、試料に上部から透過光を照射する透過照明装置２０を備える。
【００２３】
顕微鏡本体１は、箱状を呈しており、顕微鏡本体１の上部に載置された鏡筒４と、鏡筒４に取り付けられ、試料の観察像を目視観察するための接眼部５と、を備える。また、顕微鏡本体１の内部には、複数の対物レンズ６が装着されたレボルバ７と、光源から入射された光に対して、所定波長の光を反射および／または透過するミラーユニット８ａを複数保持し、光源の光軸上に配置するミラーユニット８ａを切替可能な２つのミラーユニット切替装置８とを備えている。本実施の形態では、ミラーユニット切替装置８が対物レンズ６と結像レンズ１０ａとの間に位置する光学装置に該当する。レボルバ７は、回転可能であって、レボルバ７に装着された対物レンズ６のうち一の対物レンズ６が光軸Ｌ１上に配置される。また、２つのミラーユニット切替装置８は、ミラーユニット８ａが、光源の光軸Ｌ２およびＬ３と対物レンズ６の光軸Ｌ１との交点に位置できるように顕微鏡本体１に配設される。さらに、顕微鏡本体１のミラーユニット切替装置８の配設位置の後方には、落射照明装置３を取り付ける照明ポート９が形成されている。
【００２４】
観察光学系１０は、試料の観察を可能にするもので、顕微鏡本体１と顕微鏡本体１に取り付けられた鏡筒４とにわたって設けられている。観察光学系１０は、上述した対物レンズ６のほか、結像レンズ１０ａ、ミラー１０ｂ、リレーレンズ１０ｃおよび結像レンズ１０ｄを有している。
【００２５】
結像レンズ１０ａ、ミラー１０ｂ、リレーレンズ１０ｃは、顕微鏡本体１の内部に取り付けてあり、対物レンズ６を通過することにより平行光束となった観察光は、結像レンズ１０ａを通過することにより結像され、ミラー１０ｂ、リレーレンズ１０ｃを経由して鏡筒４に入射する。
【００２６】
結像レンズ１０ｄは、鏡筒４の内部に取り付けてあり、顕微鏡本体１から入射した観察光は、結像レンズ１０ｄを通過することにより結像され、接眼部５を覗くことにより観察される。
【００２７】
ステージ２は、上面と下面とがそれぞれ平坦な板状体であって、その上面に試料が載置される。また、ステージ２のほぼ中央には、試料が落下しない程度の開口（透孔）が設けてあり、観察光が通過するようになっている。また、ステージ２には、対物レンズ６の焦点を標本に合わせるための準焦装置２ａが取り付けてある。準焦装置２ａを操作することにより、ステージ２が昇降し、対物レンズ６の焦点が標本に合焦する。
【００２８】
落射照明装置３は、照明ポート９と嵌合可能な取り付け部１１と、取り付け部１１の端部から取り付け部１１が延在する方向とＬ字形状をなす方向に延在し、照明ポート９に落射照明装置３を取り付けた状態で固定され、内部に照明光学系を含む外装部１２と、外装部１２の端部のうち、取り付け部１１側と反対の端部に取り付けられる光源１３と、外装部１２と光源１３とを接続する光源接続部１４とを備える。また、取り付け部１１および外装部１２の内部には、光源１３から照射された光を、顕微鏡本体１の光学装置であるミラーユニット切替装置８に入射させる照明光学系として、ミラー１５ａと、視野絞り投影レンズ１５ｂとが配置される。
【００２９】
２つの落射照明装置３には、外装部１２および光源１３が顕微鏡本体１の後方右側および後方左側にそれぞれ位置するように取り付けられている。本実施の形態では、顕微鏡本体１の後方右側および後方左側に、同一形状の落射照明装置３を取り付けることを目的としている。取り付け部１１の形状が、落射照明装置３を照明ポート９に取り付けた状態で落射照明装置３の光軸を含む水平面に対して上下対称でない場合（例えば、ｄ２＞ｄ１）、２つの落射照明装置３を、光源１３が顕微鏡本体１を挟んで反対に位置するように取り付けるため、上部に取り付けられた落射照明装置３の光軸Ｌ２から取り付け部１１の底面までの距離ｄ１と、下部に取り付けられた落射照明装置３の光軸Ｌ３から取り付け部１１の上面までの距離ｄ１との和を、隣接するミラーユニット切替装置８の光軸Ｌ２と光軸Ｌ３との光軸間距離Ｎ２よりも小さくすることが好ましい。取り付け部１１の高さを、落射照明装置３を照明ポート９に取り付けた状態で光軸を含む水平面に対して上下等しく形成する場合（ｄ１＝ｄ２）は、取り付け部１１の高さＮ１（ｄ１+ｄ２）を、隣接するミラーユニット切替装置８の光軸Ｌ２と光軸Ｌ３との光軸間距離Ｎ２よりも小さくすればよい。
【００３０】
取り付け部１１には、視野絞り操作部１７ａを有する視野絞り１７を取り付けるための取り付け口１７ｂが設けられている。取り付け口１７ｂは、取り付け部１１から垂直方向に延在する外装部１２側に設けられる。
【００３１】
外装部１２には、支持部材１６を取り付けるための取り付け口１６ａが２ケ所設けられている。取り付け口１６ａは、外装部１２の上面および下面の上下対称となる位置に設けられる。支持部材１６は、顕微鏡本体１に落射照明装置３が取り付けられた際に、外装部１２の下面側となる取り付け口１６ａに取り付けられる。また、支持部材１６は、顕微鏡本体１への落射照明装置３の取り付け位置に応じて、長さ調節が可能である。図４では、顕微鏡本体１の後方左側に取り付けた落射照明装置３の支持部材１６は、顕微鏡本体１の後方右側に取り付けた落射照明装置３の支持部材１６より、光軸Ｌ２と光軸Ｌ３との光軸間距離Ｎ２分長くなるように調整される。
【００３２】
顕微鏡本体１００の上部には、透過照明装置２０、透過投光装置２１、及び集光レンズ保持部２２を支持するアーム２４が設けられている。透過照明装置２０から出射した照明光は、透過投光装置２１が内蔵するミラー２１ａによって光路を折り曲げられ、集光レンズ保持部２２に保持された集光レンズ２３によって試料に集光される。このようにして試料に照射され、試料を透過した光は、対物レンズ６に入射して、観察光学系１０に入射する。
【００３３】
本実施の形態１では、落射照明装置３を顕微鏡本体１の後方左側または後方右側のいずれの方向に取り付けても、長さ調整可能な支持部材１６を取り付けることにより光源１３の重みで顕微鏡本体１が撓んでしまうことを防止することができる。また、一般的に光源１３の外形は、外装部１２および光源取り付け部１４よりも大きくなるので、顕微鏡本体１の後方左側および後方右側に、外形がＬ字状の落射照明顕微鏡３を取り付けることにより、光源１３が干渉することなく、顕微鏡本体１に取り付けが可能になる。さらに、一般に光源１３側の光束径が大きく、外装部１２の高さは光束径より小さくすることはできない。本実施の形態１では、落射照明装置３の外形をＬ字状とし、外装部１２の高さは光束径以上としながら、落射照明装置３の顕微鏡本体１への取り付けの際重なる範囲である取り付け部１１の高さを、ミラー１５ａを配置した際の高さ程度にまで抑えることにより、２つの落射照明装置３を取り付ける顕微鏡本体１をコンパクトにすることが可能となる。
【００３４】
なお、上述した実施の形態１では、顕微鏡本体１に２つの落射照明装置３を取り付けた倒立顕微鏡１００について説明したが、顕微鏡本体１が１の落射照明光学系のみを有し、１の落射照明装置３を取り付ける場合であっても、本実施の形態の落射照明装置３は、オペレータの作業環境に応じて、後方右側または左側のいずれの方向にと取り付け可能となるという効果を有している。また、本実施の形態の落射照明装置３は、外形をＬ字状としているため、一般的な縦長（直線状）の落射照明装置を取り付けた場合に比べて、装置のフットプリントを減少することが可能となる。
【００３５】
また、本実施の形態の落射照明装置３は、３以上の落射照明光学系を有する顕微鏡本体１の、隣接する（または隣接しない）２つの落射照明光学系に取り付けることも可能である。かかる場合にも、本実施の形態３にかかる落射照明装置３を取り付けることにより、顕微鏡本体１の大きさをコンパクトにすることができる。
【００３６】
なお、本実施の形態の変形例として、図５−１および図５−２に示す落射照明装置３Ａが例示される。落射照明装置３Ａの取り付け部１１Ａには、視野絞り１７を取り付けるための取り付け口１７ｂが２ケ所設けられている。取り付け口１７ｂは、取り付け部１１Ａの垂直方向の光軸を含む鉛直面に対して左右対称な２ケ所の位置に設けられる。視野絞り１７は、顕微鏡本体１に落射照明装置３Ａが取り付けられた際に、オペレータの操作のし易さに応じて、いずれかの取り付け口１７ｂに取り付ければよい。これにより、オペレータの作業効率の向上を図ることが可能となる。
【００３７】
（実施の形態２）
実施の形態２にかかる倒立顕微鏡は、顕微鏡本体に落射照明装置３を取り付ける際に、上部のミラーユニット切替装置８の後方に設けられる照明ポートと、上部の照明ポートに取り付ける落射照明装置３とを、光路調整アダプタを介して取り付ける点で実施の形態１にかかる倒立顕微鏡１００と異なる。以下、実施の形態１にかかる倒立顕微鏡１００と異なる点のみ説明する。
【００３８】
図６は、本発明の実施の形態２である倒立顕微鏡の全体構成を示す右側部分の要部図である。なお、図６においては光源およびステージ上部の光学系を省略して示してある。
【００３９】
倒立顕微鏡２００は、隣接する２つのミラーユニット切替装置８の光軸Ｌ２およびＬ３間の距離Ｎ２と同じ長さの光路調整アダプタ１８を備える。光路調整アダプタ１８は、内部空洞の円柱形状をなす。光路調整アダプタ１８の端部は顕微鏡本体の上部の照明ポート９に嵌合されるとともに、他端は落射照明装置３の取り付け部１１と嵌合される。
【００４０】
上部の照明光学系は、光路調整アダプタ１８を介して照明ポート９に落射照明装置３を取り付けるため、光路長が光路調整アダプタの長さの分長くなる。本実施の形態では、光路調整アダプタの長さを隣接する２つのミラーユニット切替装置８の光軸Ｌ２およびＬ３間の距離Ｎ２と同じ長さとし、かつ、上部の照明光学系に光路調整アダプタ１８を介して落射照明装置３を取り付けることにより、上部の照明光学系と下部の照明光学系の光路長を同じにすることが可能となる。これにより、実施の形態２にかかる倒立顕微鏡２００は、実施の形態１の倒立顕微鏡１００と同様の効果を奏するのに加え、倒立顕微鏡２００の光学性能を向上することが可能となる。
【００４１】
あるいは、顕微鏡本体の２つのミラーユニット切替装置８の後方にそれぞれ設けられる照明ポートのうち、上部の照明ポートを、下部の照明ポートより照明光学系の光軸間距離の長さ分後方に形成することにより、上部の照明光学系と下部の照明光学系の光路長が同一となり、倒立顕微鏡の光学性能を向上することができる。
【００４２】
図７は、実施の形態２の変形例にかかる倒立顕微鏡の構成の一部を示す右側面図である。図８は、図７に示した倒立顕微鏡の背面図である。図７および８においては光源を省略して示してある。
【００４３】
実施の形態２の変形例にかかる倒立顕微鏡３００は、図７に示すように、隣接する２つのミラーユニット切替装置８の後方にそれぞれ設けられる照明ポート９のうち、上部の照明ポート９は、下部の照明ポート９より２つの照明光学系の光軸Ｌ２およびＬ３間の距離Ｎ２長さ分後方に形成されている。
【００４４】
また、倒立顕微鏡３００に取り付ける落射照明装置３Ｂは、取り付け部１１が、照明ポート９と嵌合される照明ポート取り付け部１１ｂと、照明ポート取り付け部１１ｂと外装部１２とを連結する連結部１１ｃとからなる。本変形例において、照明ポート取り付け部１１ｂを、内部に配置される視野絞り投影レンズ１６ｂの外径より僅かに大きい径をな巣用に形成するとともに、連結部１１ｃの高さを視野絞り投影レンズ１６ｂの外径より小さく形成する。
【００４５】
隣接する２つのミラーユニット切替装置８の後方にそれぞれ設けられる照明ポート９のうち、上部の照明ポート９は、下部の照明ポート９より２つのミラーユニット切替装置８の光軸Ｌ２およびＬ３間の距離Ｎ２長さ分後方に形成することにより、上部の照明光学系と下部の照明光学系の光路長が同一となり、倒立顕微鏡の光学性能を向上することができる。また、取り付け部１１を、視野絞り投影レンズ１６ｂの外径より僅かに大きい径をなす照明ポート取り付け部１１ｂと、視野絞り投影レンズ１６ｂの外径より小さい径をなす連結部１１ｃとにより構成することにより、顕微鏡本体１の大きさを一層コンパクトにすることが可能となる。
【符号の説明】
【００４６】
１    顕微鏡本体
２    ステージ
２ａ  焦準装置
３、３Ａ  落射照明装置
４    鏡筒
５    接眼部
６    対物レンズ
７    レボルバ
８    ミラーユニット切替装置
９    照明ポート
１０  観察光学系
１０ａ、１０ｄ  結像レンズ
１０ｂ  ミラー
１０ｃ  リレーレンズ
１１  取り付け部
１２  外装部
１３  光源
１４  光源接続部
１５ａ  ミラー
１５ｂ  視野絞り投影レンズ
１６  支持部材
１７  視野絞り
１８  光路調整アダプタ
２０  透過照明装置
２１  透過投光装置
２２  集光レンズ保持部
３３  集光レンズ
２４  アーム
１００、２００、３００  倒立顕微鏡
【図１】
2013205822.tif 000003
【図２】
2013205822.tif 000004
【図３】
2013205822.tif 000005
【図４】
2013205822.tif 000006
【図５−１】
2013205822.tif 000007
【図５−２】
2013205822.tif 000008
【図６】
2013205822.tif 000009
【図７】
2013205822.tif 000010
【図８】
2013205822.tif 000011